(57)【要約】【課題】本体または吹出口の向きを調整して、窓ガラスなどへの結露発生を防ぐことができ、特に夜間使用時における吹出口の向きを容易に確認できる加湿装置を提供することを目的とする。【解決手段】吸込口１と吹出口２を連通し形成された空気流路３に送風機４と加湿手段５を備えた本体６と、吹出口２に設けられる透明または半透明の吹出枠７と、吹出枠７に向けて発光する発光手段８を設けることにより、本体６または吹出口２の向きを調整して窓ガラスなどへの結露発生を防ぐことができ、特に夜間使用時における吹出口２の向きを容易に確認できる加湿装置が得られる。【選択図】図１
2008025912.tif 000002
【特許請求の範囲】
【請求項１】
吸込口と吹出口を連通し形成された空気流路に送風機と加湿手段を備えた本体と、前記吹出口に設けられる透明または半透明の吹出枠と、この吹出枠に向けて発光する発光手段を設けた加湿装置。
【請求項２】
発光手段となるＬＥＤを、吹出枠の側方または斜め下方に設けた請求項１記載の加湿装置。
【請求項３】
吹出枠の内側面を上方が拡大する方向に傾斜してなる請求項１または２記載の加湿装置。
【請求項４】
吹出口を本体の長手方向の上端部に、傾斜して設けた請求項１記載の加湿装置。
【請求項５】
送風機と加湿手段およびＬＥＤを運転制御する制御基板を吹出口の近傍に収納し、前記ＬＥＤを前記制御基板の端部に配した請求項２記載の加湿装置。
【請求項６】
投影面上でＬＥＤの発光部を制御基板の端辺から突出して設けた請求項２または５記載の加湿装置。
【請求項７】
ＬＥＤを包囲するとともに、１つの開口面を備えた遮蔽リブを設け、前記開口部は吹出枠方向に開口してなる請求項５記載の加湿装置。
【請求項８】
遮蔽リブに反射手段を設けた請求項７記載の加湿装置。
【請求項９】
吹出枠に受光突部を延設し、前記受光突部をＬＥＤに近接して設けた請求項２記載の加湿装置。
【請求項１０】
吹出枠の略中央に、略円形の風向拡散板を設け、前記風向拡散板を透明または半透明とした請求項１記載の加湿装置。
【発明の詳細な説明】
【技術分野】
【０００１】
本発明は、吹出口の向きを容易に確認できる発光手段を設けた加湿装置に関する。
【背景技術】
【０００２】
従来、この種の加湿装置の一例として表示用ランプを設けた加湿器が知られている（例えば、特許文献１参照）。
【０００３】
以下、その加湿器について図７を参照にしながら説明する。
【０００４】
図に示すように、本体１０１の上面には運転スイッチ１０２と表示用ランプ１０３とを備え、運転スイッチ１０２を押すと送風装置１０４が動作し、紫外線ランプ１０５と連動して表示用ランプ１０３が点灯するように設け、表示用ランプ１０３が点灯することにより紫外線ランプ１０５が点灯して除菌を行っている情報が使用者にわかるように構成している。
【特許文献１】特開２００５−３４４９７９号公報（［００２３］［００３５］図１）
【発明の開示】
【発明が解決しようとする課題】
【０００５】
このような従来の加湿器では、表示用ランプ１０３が本体１０１の上面にあるため、加湿器の運転状態が判別しにくく、また、夜間の使用時には吐出方向が確認できないので、窓ガラスなどが、加湿空気により結露しやすい吹出方向のまま使用する場合があるなどの課題があり、吹出方向を判別しやすくすることが要求されている。
【０００６】
本発明は、上記課題を解決するもので、本体または吹出口の向きを調整して、窓ガラスなどへの結露発生を防ぐことができ、特に夜間使用時における吹出口の向きを容易に確認できる加湿装置を提供することを目的としている。
【課題を解決するための手段】
【０００７】
本発明の加湿装置は上記目的を達成するために、吸込口と吹出口を連通し形成された空気流路に送風機と加湿手段を備えた本体と、前記吹出口に設けられる透明または半透明の吹出枠と、この吹出枠に向けて発光する発光手段を設けたものである。
【０００８】
この手段により、窓ガラスなどへの結露発生を防ぐことができ、特に夜間使用時においては、吹出口の向きを容易に確認することができる加湿装置が得られる。
【０００９】
また、他の手段は、発光手段となるＬＥＤを、吹出枠の側方または斜め下方に設けたものである。
【００１０】
この手段により、吹き出し方向の確認が容易にでき、さらに加湿機能のイメージアップを図ることができる加湿装置が得られる。
【００１１】
また、他の手段は、吹出枠の内側面を上方が拡大する方向に傾斜してなるものである。
【００１２】
この手段により、吹出枠の発光面を使用者にとって視認しやすい寸法に調整することができる加湿装置が得られる。
【００１３】
また、他の手段は、吹出口を本体の長手方向の上端部に傾斜して設けたものである。
【００１４】
この手段により、発光面が使用者にとって視認しやすい角度となる加湿装置が得られる。
【００１５】
また、他の手段は、送風機と加湿手段およびＬＥＤを運転制御する制御基板を吹出口の近傍に収納し、前記ＬＥＤを前記制御基板の端部に配したものである。
【００１６】
この手段により、本体内に省スペースでＬＥＤを設けることができる加湿装置が得られる。
【００１７】
また、他の手段は、投影面上でＬＥＤの発光部を制御基板の端辺から突出して設けたものである。
【００１８】
この手段により、吹出枠にＬＥＤの光を無駄なく供給することができる加湿装置が得られる。
【００１９】
また、他の手段は、ＬＥＤを包囲するとともに、１つの開口面を備えた遮蔽リブを設け、前記開口面は吹出枠方向に開口してなるものである。
【００２０】
この手段により、開口面から吹出枠に集中的に照射することができる加湿装置が得られる。
【００２１】
また、他の手段は、遮蔽リブに反射手段を設けたものである。
【００２２】
この手段により、反射光を、減衰させることなく開口面から吹出枠に効率よく照射することができる加湿装置が得られる。
【００２３】
また、他の手段は、吹出枠に受光突部を延設し、前記受光突部をＬＥＤに近接して設けたものである。
【００２４】
この手段により、吹出枠全体を発光させることができる加湿装置が得られる。
【００２５】
また、他の手段は、吹出枠の略中央に、略円形の風向拡散板を設け、前記風向拡散板を透明または半透明としたものである。
【００２６】
この手段により、加湿機能に加え幻想的な視覚的効果を与えることができる加湿装置が得られる。
【発明の効果】
【００２７】
本発明によれば、窓ガラスなどへの結露発生を防ぐことができ、特に、夜間使用時においては、吹出口の向きを容易に確認することができるという効果のある加湿装置を提供できる。
【００２８】
また、吹き出し方向の確認が容易にでき、さらに加湿機能のイメージアップを図ることができるという効果のある加湿装置を提供できる。
【００２９】
また、吹出枠の発光面を使用者にとって視認しやすい寸法に調整することができるという効果のある加湿装置を提供できる。
【００３０】
また、発光面を、使用者にとって視認しやすい角度となるという効果のある加湿装置を提供できる。
【００３１】
また、本体内に省スペースでＬＥＤを設けることができるという効果のある加湿装置を提供できる。
【００３２】
また、吹出枠にＬＥＤの光を無駄なく供給することができるという効果のある加湿装置を提供できる。
【００３３】
また、吹出枠に設けた開口面から吹出枠に集中的に照射することができるという効果のある加湿装置を提供できる。
【００３４】
また、反射光を、減衰させることなく開口面から吹出枠に効率良く照射することができるという効果のある加湿装置を提供できる。
【００３５】
また、吹出枠全体を発光させることができるという効果のある加湿装置を提供できる。
【００３６】
また、加湿機能に加え幻想的な視覚的効果を与える加湿装置を提供できる。
【発明を実施するための最良の形態】
【００３７】
本発明の請求項１記載の発明は、吸込口と吹出口を連通し形成された空気流路に送風機と加湿手段を備えた本体と、前記吹出口に設けられる透明または半透明の吹出枠と、この吹出枠に向けて発光する発光手段を設けたものであり、吹出口に嵌合した吹出枠を光らせることにより、運転中であることを使用者に知らせることができるとともに、使用者は吹出枠により調整される吹出口が正しい方向を向いているか確認することができ、本体または吹出口の向きを調整して、窓ガラスなどへの結露発生を防ぐことができる。特に夜間使用時においては、吹出口の向きを容易に確認することができるという作用を有する。
【００３８】
また、請求項２記載の発明は、発光手段となるＬＥＤを、吹出枠の側方または斜め下方に設けられたものであり、発光手段となるＬＥＤの発光色を青色にして、吹出枠に側方または斜め下方から照射することにより、吹出枠が明るく照らし出され、吹出枠および吹出口の輪郭を鮮明に映し出して吹き出し方向の確認が容易にでき、さらに加湿機能のイメージアップを図ることができるという作用を有する。
【００３９】
また、請求項３記載の発明は、吹出枠の内側面を上方が拡大する方向に傾斜してなるものであり、吹き出し方向を拡大することができるとともに、吹出枠の発光面を使用者にとって視認しやすい寸法に調整することができるという作用を有する。
【００４０】
また、請求項４記載の発明は、吹出口を本体の長手方向の上端部に傾斜して設けたものであり、吹き出し方向を加湿空間に向けて適正に配置することができるとともに、吹出枠の傾斜した発光面は、使用者にとって視認しやすい角度となるという作用を有する。
【００４１】
また、請求項５記載の発明は、送風機と加湿手段およびＬＥＤを運転制御する制御基板を吹出口の近傍に収納し、前記ＬＥＤを前記制御基板の端部に配したものであり、吹出枠を照射するためのＬＥＤの専用基板が不要となり、部品点数や組立工数を削減してコストダウンできるとともに、本体内に省スペースでＬＥＤを設けることができるという作用を有する。
【００４２】
また、請求項６記載の発明は、投影面上でＬＥＤの発光部を制御基板の端辺から突出して設けたものであり、吹出枠に向けてＬＥＤの発光部から直接照射することができ、吹出枠にＬＥＤの光を無駄なく供給することができるという作用を有する。
【００４３】
また、請求項７記載の発明は、ＬＥＤを包囲するとともに、１つの開口面を備えた遮蔽リブを設け、前記開口面は吹出枠方向に開口してなるものであり、遮蔽リブがＬＥＤを包囲して覆うことにより、照射されるＬＥＤの発光が周囲の隙間から逸散しないようにするとともに、吹出枠に設けた開口面から吹出枠に集中的に照射することができるという作用を有する。
【００４４】
また、請求項８記載の発明は、遮蔽リブに反射手段を設けたものであり、ＬＥＤの遮蔽リブの反射光を、減衰させることなく開口面から吹出枠に効率良く照射することができるという作用を有する。
【００４５】
また、請求項９記載の発明は、吹出枠に受光突部を延設し、前記受光突部をＬＥＤに近接して設けたものであり、ＬＥＤの光を漏れなく受光突部から吹出枠に導入して吹出枠全体を発光させることができるという作用を有する。
【００４６】
また、請求項１０記載の発明は、吹出枠の略中央に、略円形の風向拡散板を設け、前記風向拡散板を透明または半透明としたものであり、ＬＥＤの光が吹出枠の外周に伝わり発光すると同時に吹出枠の中央に設けた風向拡散板にも吹出枠を透過した光が浸入または反射して、風向拡散板もほの暗く発光するため、吹出口の内部から発光しているような印象を与え、加湿装置を夜間使用するときに、加湿機能に加え幻想的な視覚的効果を与えるという作用を有する。
【００４７】
以下、本発明の実施の形態について図面を参照しながら説明する。
【００４８】
（実施の形態１）
図１〜図５に示すように、吸込口１と吹出口２を連通して形成された空気流路３に、送風機４と加湿手段５を備えた本体６と、吹出口２に設けられる透明または半透明の吹出枠７と、吹出枠７に向けて発光する発光手段８を設け、発光手段８となる青色などのＬＥＤ９を、吹出枠７の側方または斜め下方に設け、吹出枠７を内側面を上方が拡大する方向に傾斜して設け、吹出口２を本体６の長手方向の上端部１０に傾斜して設け、送風機４と加湿手段５およびＬＥＤ９を運転制御する制御基板１１を吹出口２の近傍に収納し、ＬＥＤ９を制御基板１１の端部に配する。
【００４９】
また、本体６の内部には、加湿手段５を形成する円筒状で回転する加湿フィルター１２の下部が浸水する水槽１３に一定の水位を維持するように給水タンク１４を設け、送風機４が運転されると吸込口１から吸い込まれた空気が空気流路３を通りヒータからなる加熱手段１５により加熱され、加熱された空気が水槽１３の水分を含んだ加湿フィルター１２に接触して、水分を気化し吹出口２より室内に放散されて加湿をするように構成する。
【００５０】
上記構成においては、吸込口１と吹出口２を連通し形成された空気流路３に送風機４と加湿手段５を備えた本体６と、吹出口２に設けた透明または半透明の吹出枠７と、吹出枠７に向けて発光する手段を設けたので、吹出口２に設けた吹出枠７に発光手段８の光が照射され透明または半透明の吹出枠７が光ることにより、加湿装置が運転中であることを使用者に知らせることができるとともに、使用者は吹出口２が正しい方向に向いているか確認をすることができ、本体６または吹出口２の向きを調整して窓ガラスなどへの結露発生を防止することができ、また、夜間使用時においては、吹出枠７が光っていることにより吹出口２の向きを容易に確認することができることとなる。
【００５１】
また、発光手段８となるＬＥＤ９を、吹出枠７の側方または斜め下方に設けたので、発光手段８となるＬＥＤ９の発光色を青色にして、吹出枠７に側方または斜め下方から照射することにより、透明または半透明の吹出枠７が明るく照らし出され、吹出枠７および吹出口２の輪郭を鮮明に映し出して吹き出し方向の確認が容易にでき、さらに加湿機能のイメージアップを図ることができることとなる。
【００５２】
また、吹出枠７の内側面を上方が拡大する方向に傾斜したので、吹き出し方向を拡大することができるとともに、吹出枠７の発光面を使用者にとって視認しやすい寸法に調整して形成することができることとなる。
【００５３】
また、吹出口２を本体６の長手方向の上端部１０に、傾斜して設けたので、吹き出し方向を加湿空間に向けて適正に配置することができるとともに、本体６の上端部１０に傾斜して設けた吹出口２に設けられる吹出枠７も傾斜するので、吹出枠７の傾斜した発光面は、使用者にとって確認しやすい角度となるので、吹出口２の吹出方向の確認が容易となることとなる。
【００５４】
また、送風機４と加湿手段５およびＬＥＤ９を運転制御する制御基板１１を吹出口２の近傍に収納し、ＬＥＤ９を制御基板１１の端部に配したので、吹出枠７を照射するためのＬＥＤ９の専用基板が不要となり、部品点数や組立工数を削減してコストダウンを図ることができるとともに、本体６内に省スペースでＬＥＤ９を設けることができることとなる。
【００５５】
（実施の形態２）
図６および図７に示すように、投影面上でＬＥＤ９Ａの発光部１６を制御基板１１Ａの端辺から突出して設け、ＬＥＤ９Ａを包囲するとともに、１つの開口部１７を備えた遮蔽リブ１８を設け、開口部１７は吹出枠７Ａの方向に開口して設け、遮蔽リブ１８にアルミテープや鏡面塗装などの反射手段１９を設け構成する。
【００５６】
上記構成においては、投影面上でＬＥＤ９Ａの発光部１６を制御基板１１Ａの端辺から突出して設けたので、吹出枠７Ａに向けてＬＥＤ９Ａの発光部１６から直接照射することができ、吹出枠７ＡにＬＥＤ９Ａの光を無駄なく供給することができることとなる。
【００５７】
また、ＬＥＤ９Ａを包囲するとともに、１つの開口部１７を備えた遮蔽リブ１８を設け、開口部１７は吹出枠７Ａの方向に開口したので、遮蔽リブ１８がＬＥＤ９Ａを包囲して覆うことにより、照射されるＬＥＤ９Ａの光が周囲の隙間などから逸散しないようにするとともに、吹出枠７Ａに向けた開口部１７から吹出枠７Ａに集中的に照射することができることとなる。
【００５８】
また、遮蔽リブ１８に反射手段１９を設けたので、ＬＥＤ９Ａの遮蔽リブ１８からの反射光を、減衰させることなく開口部１７から吹出枠７Ａに効率良く照射することができることとなる。
【００５９】
（実施の形態３）
図８に示すように、吹出枠７Ｂに受光突部２０を延設し、受光突部２０をＬＥＤ９Ｂに近接して設け、吹出枠７Ｂの略中央に、略円形の風向拡散板２１を透明または半透明に設けた構成とする。
【００６０】
上記構成においては、吹出枠７Ｂに受光突部２０を延設し、受光突部２０をＬＥＤ９Ｂに近接して設けたので、ＬＥＤ９Ｂの光を漏れなく受光突部２０から吹出枠７Ｂに導入して吹出枠７Ｂ全体を発光させることができることとなる。
【００６１】
また、吹出枠７Ｂの略中央に、略円筒形の風向拡散板２１を透明または半透明に設けたので、ＬＥＤ９Ｂの光が吹出枠７Ｂの外周に伝わり発光すると同時に、吹出枠７Ｂの中央に設けた風向拡散板２１にも吹出枠７Ｂを透過した光が浸入または反射して、風向拡散板２１もほの暗く発光するため、吹出口２の内部から発光しているような印象を与え、加湿装置を夜間使用するときに、加湿機能に加え幻想的な視覚的効果を与えることができることとなる。
【産業上の利用可能性】
【００６２】
本発明にかかる加湿装置は、本体または吹出口の向きを調整して窓ガラスなどへの結露発生を防ぐことができ、特に夜間使用時における吹出口の向きを容易に確認できるという効果を奏し、吹出口の向きを容易に確認できる発光手段を設けた加湿装置等として有用である。
【図面の簡単な説明】
【００６３】
【図１】本発明の実施の形態１の加湿装置の縦断面図
【図２】同加湿装置の吹出枠およびＬＥＤの関係を示す部分拡大図
【図３】同加湿装置の側面図
【図４】同加湿装置の正面図
【図５】同加湿装置の分解斜視図
【図６】本発明の実施の形態２の加湿装置のＬＥＤの配設状態を示す破断図
【図７】同加湿装置の反射手段を示す部分図
【図８】本発明の実施の形態３の加湿装置の吹出枠部分を示す斜視図
【図９】従来の加湿器を示す側面概略断面図
【符号の説明】
【００６４】
１      吸込口
２      吹出口
３      空気流路
４      送風機
５      加湿手段
６      本体
７      吹出枠
７Ａ    吹出枠
７Ｂ    吹出枠
８      発光手段
９      ＬＥＤ
９Ａ    ＬＥＤ
９Ｂ    ＬＥＤ
１０    上端部
１１    制御基板
１１Ａ  制御基板
１６    発光部
１７    開口部
１８    遮蔽リブ
１９    反射手段
２０    受光突部
２１    風向拡散板
【図１】
2008025912.tif 000003
【図２】
2008025912.tif 000004
【図３】
2008025912.tif 000005
【図４】
2008025912.tif 000006
【図５】
2008025912.tif 000007
【図６】
2008025912.tif 000008
【図７】
2008025912.tif 000009
【図８】
2008025912.tif 000010
【図９】
2008025912.tif 000011